(57)【要約】【課題】各ＬＥＤ照明機器の待機電力を削減可能な技術を提供する。【解決手段】複数のＬＥＤ照明機器と、オン時に上記各ＬＥＤ照明機器に電力を供給し、オフ時に上記電力の供給を停止する電源スイッチと、上記各ＬＥＤ照明機器の状態を制御する制御信号を上記各ＬＥＤ照明機器向けに送信する無線端末と、上記無線端末と無線通信を行う無線通信部，及び上記電源スイッチがオンの状態において上記無線通信部で受信される上記制御信号に基づき上記複数のＬＥＤ照明機器の全てが消灯状態となることを検知したときに、上記電源スイッチをオフにする処理を実行する制御部を含むコントローラと、を含むＬＥＤ照明システムである。【選択図】図１
2015149241.tif 000002
【特許請求の範囲】
【請求項１】
複数のＬＥＤ照明機器と、
オン時に前記各ＬＥＤ照明機器に電力を供給し、オフ時に前記電力の供給を停止する電源スイッチと、
前記各ＬＥＤ照明機器の状態を制御する制御信号を前記各ＬＥＤ照明機器向けに送信する無線端末と、
前記無線端末と無線通信を行う無線通信部，及び前記電源スイッチがオンの状態において前記無線通信部で受信される制御信号に基づき前記複数のＬＥＤ照明機器の全てが消灯状態となることを検知したときに前記電源スイッチをオフにする処理を実行する制御部を含むコントローラと、
を含むＬＥＤ照明システム。
【請求項２】
前記制御部は、前記電源スイッチのオフ後に前記複数のＬＥＤ照明機器の少なくとも１つを点灯状態とする制御信号が前記無線通信部を介して受信されたときに前記電源スイッチをオンにする処理を実行する
請求項１に記載のＬＥＤ照明システム。
【請求項３】
前記制御部は、前記無線通信部で受信される制御信号を用いた前記各ＬＥＤ照明機器の状態監視を通じて前記各ＬＥＤ照明機器が消灯状態となる前の状態に関する状態情報を記憶装置に記憶する処理と、前記電源スイッチのオフ後における前記複数のＬＥＤ照明機器の少なくとも１つを点灯状態とする制御信号の受信に応じて前記電源スイッチをオンにするときに当該ＬＥＤ照明機器の少なくとも１つを前記状態情報に応じた状態にする制御信号を前記無線通信部を介して送信する処理とを実行する
請求項１又は２に記載のＬＥＤ照明システム。
【請求項４】
前記電源スイッチのオン操作が行われたときに前記電源スイッチをオンにするオン信号を出力する一方で前記電源スイッチのオフ操作が行われたときに前記電源スイッチをオフにするオフ信号を出力する操作部をさらに含み、
前記制御部は、前記操作部からオフ信号が出力されたときにおける前記各ＬＥＤ照明機器の状態を示す情報を前記記憶装置に記憶する処理と、前記オフ信号に応じて前記電源スイッチをオフにする処理と、前記電源スイッチのオフ後に前記操作部から出力された前記オン信号に応じて前記電源スイッチをオンにするとともに前記各ＬＥＤ照明機器の状態を前記情報に応じた状態にする制御信号を前記無線通信部を介して送信する処理とを実行する
請求項１から３の何れか１項に記載のＬＥＤ照明システム。
【請求項５】
前記各ＬＥＤ照明機器は、ＬＥＤ群と、前記制御信号を受信する無線部と、前記制御信号に応じてＬＥＤ群の状態を制御する制御装置と、記憶装置とを含み、
前記制御装置は、前記ＬＥＤ群の状態を前記記憶装置に記憶する処理と、前記電源スイッチがオフとなりその後に前記電源スイッチがオンとなったときに前記ＬＥＤ群の状態を前記記憶装置に記憶された前記ＬＥＤ群の状態にする処理とを行う
請求項１に記載のＬＥＤ照明システム。
【請求項６】
前記コントローラは、前記電源スイッチのオンに連動してオンとなり、前記電源スイッチのオフに連動してオフとなる
請求項１、３から５の何れか１項に記載のＬＥＤ照明システム。
【請求項７】
前記無線端末から前記電源スイッチのオン指示を受信したときに前記電源スイッチをオンにするオン信号を出力する無線スイッチをさらに含む
請求項６に記載のＬＥＤ照明システム。
【請求項８】
前記無線スイッチから出力された前記オン信号による前記電源スイッチのオンに連動して前記コントローラがオンとなったときに、前記制御部が前記各ＬＥＤ照明機器の状態を前記記憶装置に記憶された前記情報に応じた状態にする制御信号を前記無線通信部を介して送信する処理を実行する
請求項７に記載のＬＥＤ照明システム。
【請求項９】
前記制御部は、前記操作部及び前記無線スイッチの少なくとも一方から前記オン信号が出力されたことを検知したときに、前記操作部及び前記無線スイッチの少なくとも一方からの前記電源スイッチをオフにするオフ信号の出力と前記複数のＬＥＤ照明機器の全てが消灯状態となることとの何れかを検知するまで前記電源スイッチのオン状態を維持する処理を行う
請求項７又は８に記載のＬＥＤ照明システム。
【請求項１０】
前記複数のＬＥＤ照明機器の設置位置周辺で人の存在を検知したときに前記電源スイッチをオンにするオン信号を出力する一方で、前記設置位置周辺で人の存在が検知されないときに前記電源スイッチをオフにするオフ信号を出力する人感センサスイッチをさらに含む
請求項１から９の何れか１項に記載のＬＥＤ照明システム。
【請求項１１】
前記人感センサスイッチから出力された前記オン信号による前記電源スイッチのオンに連動して前記コントローラがオンとなったときに、前記制御部が前記各ＬＥＤ照明機器の状態を前記記憶装置に記憶された前記情報に応じた状態にする制御信号を前記無線通信部を介して送信する処理を実行する
請求項１０に記載のＬＥＤ照明システム。
【請求項１２】
前記制御部は、前記操作部，前記無線スイッチ及び前記人感センサスイッチの少なくとも１つから前記オン信号が出力されたことを検知したときに、前記操作部，前記無線スイッチ及び前記人感センサスイッチの少なくとも１つからの前記電源スイッチをオフにするオフ信号の出力と前記複数のＬＥＤ照明機器の全てが消灯状態となることとの何れかを検知するまで前記電源スイッチのオン状態を維持する処理を行う
請求項１０又は１１に記載のＬＥＤ照明システム。
【請求項１３】
無線端末から複数のＬＥＤ照明機器へ向けて送信される前記各ＬＥＤ照明機器の状態を制御する制御信号を受信する無線通信部と、
前記各ＬＥＤ照明機器への電力供給をオンオフする電源スイッチがオンの状態において前記無線通信部で受信される前記制御信号に基づき前記複数のＬＥＤ照明機器の全てが消灯状態となることを検知したときに、前記電源スイッチをオフにする処理を実行する制御部と
を含むＬＥＤ照明機器のコントローラ。
【発明の詳細な説明】
【技術分野】
【０００１】
本発明は、ＬＥＤ（Light Emitting Diode）照明システム，及びＬＥＤ照明機器のコントローラに関する。
【背景技術】
【０００２】
従来、無線端末を用いて複数のＬＥＤ照明機器を制御するＬＥＤ照明システムがある。この種のＬＥＤ照明システムでは、電源ラインから電源スイッチを介して電力の供給を受ける複数のＬＥＤ照明機器がある。各ＬＥＤ照明機器は、ＬＥＤ群と、ＬＥＤ群の状態を制御する制御装置と、無線端末と無線通信を行う無線部とを含む。各ＬＥＤ照明機器には、予め識別子（ＬＥＤ照明機器のＩＤ，或いはアドレス）が割り当てられている。
【０００３】
無線端末は、無線端末の操作者（オペレータ）の操作入力に従って、全ＬＥＤ照明機器向け、又は個別のＬＥＤ照明機器向けの制御信号を生成する。制御信号には、宛先のＬＥＤ照明機器の識別子と、当該ＬＥＤ照明機器の状態を制御する制御情報（指示又はコマンド）とが含まれる。各ＬＥＤ照明機器では、無線部で受信される制御信号中の識別子が自機器宛てであれば、制御装置が制御信号中の制御情報に従って、ＬＥＤ群の状態（例えば、点灯，調光，調色，消灯）を制御する。
【０００４】
上記したＬＥＤ照明システムでは、無線通信によって各ＬＥＤ照明機器の点灯、消灯を含む状態が制御される。このため、ＬＥＤ照明機器の増設に伴い新たに制御装置との制御線を設けたり、ＬＥＤ照明機器の設置位置変更に伴って制御線を設置しなおしたりすることが回避される。従って、ＬＥＤ照明機器の増設工事や位置変更工事が簡便となる利点がある。
【先行技術文献】
【特許文献】
【０００５】
【特許文献１】特表２００５−５１０００７号公報
【特許文献２】特開２００９−２０６８４１号公報
【特許文献３】特表２０１１−５３０７９８号公報
【発明の概要】
【発明が解決しようとする課題】
【０００６】
しかしながら、上記したＬＥＤ照明システムでは、以下の問題があった。すなわち、消灯状態のＬＥＤ照明機器を無線端末の操作によって点灯状態にするには、少なくともＬＥＤ照明機器の無線部がアクティブ状態でなければならない。このため、各ＬＥＤ照明機器は、消灯状態であっても、電源ラインからの電力を受けて無線部のアクティブ状態を維持する待機電力を必要とする。
【０００７】
例えば、ＬＥＤ照明機器の個数がｎ個（ｎは自然数）であり、且つ１つのＬＥＤ照明機器に対して１ｍＷの待機電力が要求される場合には、待機電力の総量は１×ｎ[ｍＷ]となる。このような待機電力がＬＥＤ照明システムの運用コストとの関係で無視できない場合が起こり得る。
【０００８】
本発明の一態様は、各ＬＥＤ照明機器の待機電力を削減可能な技術を提供することを目的とする。
【課題を解決するための手段】
【０００９】
本発明の一態様は、複数のＬＥＤ照明機器と、
オン時に上記各ＬＥＤ照明機器に電力を供給し、オフ時に上記電力の供給を停止する電源スイッチと、
上記各ＬＥＤ照明機器の状態を制御する制御信号を上記各ＬＥＤ照明機器向けに送信する無線端末と、
上記無線端末と無線通信を行う無線通信部，及び上記電源スイッチがオンの状態において上記無線通信部で受信される上記制御信号に基づき上記複数のＬＥＤ照明機器の全てが消灯状態となることを検知したときに、上記電源スイッチをオフにする処理を実行する制御部を含むコントローラと、
を含むＬＥＤ照明システムである。
【００１０】
上記ＬＥＤ照明システムによれば、無線端末の操作を通じて複数のＬＥＤ照明機器の全てが消灯状態となるときに電源スイッチがオフにされることで、各ＬＥＤ照明機器の待機電力を削減することができる。
【００１１】
上記ＬＥＤ照明システムにおいて、上記制御部は、上記電源スイッチのオフ後に上記複数のＬＥＤ照明機器の少なくとも１つを点灯状態とする制御信号が受信されたときに上記電源スイッチをオンにする、ようにしても良い。このようにすれば、無線端末の操作で電源スイッチをオンにすることができる。
【００１２】
上記ＬＥＤ照明システムにおいて、上記制御部は、上記無線通信部で受信される制御信号を用いた上記各ＬＥＤ照明機器の状態監視を通じて上記各ＬＥＤ照明機器が消灯状態となる前の状態に関する状態情報を記憶装置に記憶する処理と、上記電源スイッチのオフ後における上記複数のＬＥＤ照明機器の少なくとも１つを点灯状態とする制御信号の受信に応じて上記電源スイッチをオンにするときに、当該ＬＥＤ照明機器の少なくとも１つを上記状態情報に応じた状態にする制御信号を上記無線通信部を介して送信する処理とを実行する、ようにしても良い。このようにすれば、いわゆるリジューム機能により、電源スイッチのオン時に消灯前の状態を再現することが可能となる。
【００１３】
上記ＬＥＤ照明システムは、上記電源スイッチのオン操作が行われたときに上記電源スイッチをオンにするオン信号を出力する一方で上記電源スイッチのオフ操作が行われたときに上記電源スイッチをオフにするオフ信号を出力する操作部をさらに含み、
上記制御部は、上記操作部からオフ信号が出力されたときに上記各ＬＥＤ照明機器の現在の状態を示す情報を上記記憶装置に記憶する処理と、上記オフ信号に応じて上記電源スイッチをオフにする処理と、上記電源スイッチのオフ後に上記操作部から出力された上記オン信号に応じて上記電源スイッチをオンにするとともに上記各ＬＥＤ照明機器の状態を上記情報に応じた状態にする制御信号を上記無線通信部を介して送信する処理とを実行する、ようにしても良い。
このようにすれば、操作部で電源スイッチをオンにしたときに、電源スイッチがオフにされる前の各ＬＥＤ照明機器の状態を再現することが可能となる。
【００１４】
上記ＬＥＤ照明システムにおいて、上記各ＬＥＤ照明機器は、ＬＥＤ群と、上記制御信号を受信する無線部と、上記制御信号に応じてＬＥＤ群の状態を制御する制御装置と、記憶装置とを含み、
上記制御装置は、上記ＬＥＤ群の状態を上記記憶装置に記憶する処理と、上記電源スイッチがオフとなりその後に上記電源スイッチがオンとなったときに上記ＬＥＤ群の状態が上記記憶装置に記憶された上記ＬＥＤ群の状態となるように制御する、ようにしても良い。
このようにすれば、電源スイッチがオンにされたときに、電源スイッチがオフにされる前の各ＬＥＤ照明機器の状態を再現するためのコントローラの動作が不要となる。
【００１５】
上記ＬＥＤ照明システムにおいて、上記コントローラは、上記電源スイッチのオンに連動してオンとなり、上記電源スイッチのオフに連動してオフとなる、ようにしても良い。このようにすれば、コントローラが電源スイッチのオフに連動してオフとなることで、コントローラの消費電力を削減することができる。
【００１６】
上記ＬＥＤ照明システムは、上記無線端末から上記電源スイッチのオン指示を受信したときに上記電源スイッチをオンにするオン信号を出力する無線スイッチをさらに含む、ようにしても良い。このようにすれば、電源スイッチ及びコントローラのオフ時に無線端末の操作で電源スイッチをオンにすることができる。
【００１７】
上記ＬＥＤ照明システムが上記無線スイッチを含む場合において、上記無線スイッチから出力された上記オン信号による上記電源スイッチのオンに連動して上記コントローラがオンとなったときに、上記制御部が上記各ＬＥＤ照明機器の状態を上記記憶装置に記憶された上記情報に応じた状態にする制御信号を上記無線通信部を介して送信する処理を実行する、ようにしても良い。このようにすれば、電源スイッチがオンにされたときに、電源スイッチがオフにされる前の各ＬＥＤ照明機器の状態を再現することができる。
【００１８】
上記ＬＥＤ照明システムが上記無線スイッチを含む場合において、上記制御部は、上記操作部及び上記無線スイッチの少なくとも一方から上記オン信号が出力されたことを検知したときに、上記操作部及び上記無線スイッチの少なくとも一方からの上記電源スイッチをオフにするオフ信号の出力と上記複数のＬＥＤ照明機器の全てが消灯状態となることとの何れかを検知するまで上記電源スイッチのオン状態を維持する処理を行う、ようにしても良い。このようにすれば、操作部，無線スイッチ，無線端末から各ＬＥＤ照明機器への制御信号の送信結果の何れかによって電源スイッチがオフにされる環境を提供することができる。
【００１９】
上記ＬＥＤ照明システムは、上記複数のＬＥＤ照明機器の設置位置周辺で人の存在を検知したときに上記電源スイッチをオンにするオン信号を出力する一方で上記設置位置周辺で人の存在が検知されないときに上記電源スイッチをオフにするオフ信号を出力する人感センサスイッチをさらに含む、ようにしても良い。このようにすれば、人感センサスイッチで電源スイッチをオンオフすることが可能となる。
【００２０】
上記ＬＥＤ照明システムが上記人感センサスイッチを含む場合において、上記人感センサスイッチから出力された上記オン信号による上記電源スイッチのオンに連動して上記コントローラがオンとなったときに、上記制御部が上記各ＬＥＤ照明機器の状態を上記記憶装置に記憶された上記情報に応じた状態にする制御信号を上記無線通信部を介して送信する処理を実行する、ようにしても良い。このようにすれば、このようにすれば、電源スイッチがオンにされたときに、電源スイッチがオフにされる前の各ＬＥＤ照明機器の状態を再現することができる。
【００２１】
上記ＬＥＤ照明システムが上記人感センサスイッチを含む場合において、上記制御部は、上記操作部，上記無線スイッチ及び上記人感センサスイッチの少なくとも１つから上記オン信号が出力されたことを検知したときに、上記操作部，上記無線スイッチ及び上記人感センサスイッチの少なくとも１つからの上記オフ信号の出力と上記複数のＬＥＤ照明機器の全てが消灯状態となることとの何れかを検知するまでの間、上記電源スイッチのオン状態を維持する処理を行う、ようにしても良い。このようにすれば、操作部，無線スイッチ，人感センサスイッチ，無線端末から各ＬＥＤ照明機器への制御信号の送信結果の何れかによって電源スイッチがオフにされる環境を提供することができる。
【００２２】
また、本発明の他の態様は、無線端末から複数のＬＥＤ照明機器へ向けて送信される上記各ＬＥＤ照明機器の状態を制御する制御信号を受信する無線通信部と、
上記各ＬＥＤ照明機器への電力供給をオンオフする電源スイッチがオンの状態において上記無線通信部で受信される上記制御信号に基づき上記複数のＬＥＤ照明機器の全てが消灯状態となることを検知したときに、上記電源スイッチをオフにする処理を実行する制御部と
を含むＬＥＤ照明機器のコントローラである。
【発明の効果】
【００２３】
本発明の一態様によれば、無線端末により、ＬＥＤ照明機器の状態（点灯、消灯等）を制御することが可能であり、かつ、各ＬＥＤ照明機器の待機電力を削減することができる。
【図面の簡単な説明】
【００２４】
【図１】図１は、本発明の第１実施形態に係るＬＥＤ照明システムの構成例を示す図である。
【図２】図２は、ＬＥＤ照明機器の構成例を示す図である。
【図３】図３は、無線端末の構成例を示す図である。
【図４】図４は、状態管理テーブルのデータ構造例を示す図である。
【図５】図５は、コントローラのマイコンによって実行される主な処理例を示すフローチャートである。
【図６Ａ】図６Ａは、電源スイッチがオンの状態において、壁スイッチからオン信号が出力された場合におけるマイコンの処理例を示すフローチャートである。
【図６Ｂ】図６Ｂは、壁スイッチを用いた電源スイッチのオン時におけるマイコンの処理例を示すフローチャートである。
【図７Ａ】図７Ａは、変形例に係るＬＥＤ照明機器の構成例を示す。
【図７Ｂ】図７Ｂは、不揮発性メモリに記憶される状態管理テーブルの例を示す。
【図８】図８は、第２実施形態におけるＬＥＤ照明システムの構成例を示す図である。
【図９】図９は、第２実施形態における電源スイッチのオンオフ制御に係る信号のタイムチャート例を示す。
【図１０】図１０は、第３実施形態に係るＬＥＤ照明システムの構成例を示す図である。
【発明を実施するための形態】
【００２５】
以下、図面を参照して本発明の実施形態について説明する。実施形態の構成は例示であり、本発明は実施形態の構成に限定されない。
【００２６】
〔第１実施形態〕
＜システム構成＞
図１は、本発明の第１実施形態に係るＬＥＤ照明システムの構成例を示す図である。図１に示すＬＥＤ照明システムは、複数のＬＥＤ照明機器Ｌ１〜Ｌｎ（ｎは自然数）と、オン時に上記各ＬＥＤ照明機器に電力を供給し、オフ時に上記電力の供給を停止する電源スイッチＳＷ１とを備える。また、ＬＥＤ照明システムは、ＬＥＤ照明機器Ｌ１〜Ｌｎの状態を制御する制御信号をＬＥＤ照明機器Ｌ１〜Ｌｎ向けに送信する無線端末２０を備える。さらに、ＬＥＤ照明システムは、無線端末２０と無線通信を行う無線通信部１１，及び電源スイッチＳＷ１がオンの状態において無線通信部１１で受信される制御信号に基づきＬＥＤ照明機器Ｌ１〜Ｌｎの全てが消灯状態となることを検知したときに、電源スイッチをオフにする処理を実行する制御部１２を含むコントローラ１０とを備える。
【００２７】
具体的には、ＬＥＤ照明機器Ｌ１〜Ｌｎ（以下、ＬＥＤ照明機器Ｌ１〜Ｌｎを区別しない場合には、「ＬＥＤ照明機器Ｌ」との表記を用いる）は、ＡＣ（交流）電源（例えば、商用電源）に接続された電源ライン１に接続されており、電源ライン１に供給される電力を用いて動作する。
【００２８】
電源ライン１には、電源スイッチＳＷ１が挿入されている。すなわち、電源ライン１は、電源スイッチＳＷ１の上流側の電源ライン１ａと、電源スイッチＳＷ１の下流側の電源ライン１ｂとを含み、電源スイッチＳＷ１は電源ライン１ｂを介して各ＬＥＤ照明機器Ｌに接続されている。電源スイッチＳＷ１は、オン時にＡＣ電源から電源ライン１ａを介して供給される電力を電源ライン１ｂに接続された各ＬＥＤ照明機器Ｌに供給する。一方、電源スイッチＳＷ１は、オフ時に電源ライン１ｂ（各ＬＥＤ照明機器Ｌ）に対する電力供給を停止する。
【００２９】
電源スイッチＳＷ１の上流側の電源ライン１ａには、ＡＣ／ＤＣ（交流／直流）電源回路２が接続されている。ＡＣ／ＤＣ電源回路２は、ＡＣ電源からの電圧を直流の電源電圧ＶBに変換するインバータを含む。コントローラ１０は、電源電圧ＶBの印加による動作電力の供給を受けて動作する。
【００３０】
コントローラ１０は、無線端末２０及び各ＬＥＤ照明機器Ｌと通信する無線通信部１１と、無線端末２０から受信される制御信号（無線信号），又は壁スイッチＳＷ２（「操作部」の一例）からのオン／オフ信号に基づいて電源スイッチＳＷ１のオン／オフ制御等を行う制御部１２とを備えている。さらに、コントローラ１０は、オペレータが各ＬＥＤ照明機器Ｌの状態を制御するための情報を入力するための入力装置及び出力装置を含んだコンソール１３を備えている。
【００３１】
壁スイッチＳＷ２は、電源スイッチＳＷ１のオン／オフをオペレータ（例えば、ＬＥＤ照明システムのユーザ）が操作するためのスイッチである。壁スイッチＳＷ２に対してオペレータのオン操作がなされたとき、壁スイッチＳＷ２からオン信号が出力される。オン信号は、コントローラ１０に与えられる。すると、コントローラ１０は、電源スイッチＳＷ１に対するオン信号を出力し、電源スイッチＳＷ１をオンにする。逆に、壁スイッチＳＷ２に対してオペレータのオフ操作がなされたとき、壁スイッチＳＷ２からオフ信号が出力される。オフ信号がコントローラ１０に与えられると、コントローラ１０は、電源スイッチＳＷ１に対するオフ信号を出力し、電源スイッチＳＷ１をオフにする。本実施形態において、壁スイッチＳＷ２は、壁に設置されるが、壁以外の場所に設置されても良く、設置位置を問わない。壁スイッチＳＷ２は、「操作部」の一例である。
【００３２】
無線端末２０は、各ＬＥＤ照明機器Ｌの状態を制御する制御情報を含む無線信号（制御信号）を生成し、各ＬＥＤ照明機器Ｌ向けに送信する。以上の構成によれば、各ＬＥＤ照明機器Ｌは、無線端末２０からの制御信号を受けて点灯及び消灯のような動作を行う。また、コントローラ１０は、壁スイッチＳＷ２のオン／オフ操作に応じて、電源スイッチＳＷ１のオンオフを行う。以下、ＬＥＤ照明機器Ｌ，コントローラ１０，無線端末２０の詳細な構成について説明する。
【００３３】
＜ＬＥＤ照明機器＞
図２は、ＬＥＤ照明機器Ｌの構成例を示す図である。ＬＥＤ照明機器Ｌは、電源回路３１と、無線部（ＲＦ）３２と、制御装置（ＣＴＲＬ）３３と、ＬＥＤ群（ＬＥＤｓ）３４とを含んでいる。電源回路３１は、電源ライン１（１ｂ）から供給される交流の電力を所定の直流電力に変換して、無線部３２，制御装置３３の動作電力として供給する。また、電源回路３１は、ＬＥＤ群３４の点灯用の電力を供給する。
【００３４】
無線部３２は、少なくとも無線受信機（ＲＸ）としての構成を有する。すなわち、無線部３２は、受信アンテナと、ＬＮＡ（ローノイズアンプ）と、ダウンコンバータとを少なくとも含む。無線部３２は、受信アンテナで受信される無線端末２０又はコントローラ１０から送信された制御信号（無線信号（電波））をＬＮＡで低雑音増幅した後、無線信号の周波数を所定周波数にダウンコンバートしてベースバンド信号を得る。
【００３５】
制御装置３３は、例えば、ＩＣ，ＬＳＩのような集積回路、或いはマイクロコンピュータ及びメモリのようなプロセッサを用いて形成される。制御装置３３は、ベースバンド信号の復調及び復号化を行い、データを得る。データは、制御情報と、制御情報の宛先を示す識別子（例えば、ＬＥＤ照明機器のアドレス）とを含む。制御装置３３は、データ中の識別子を参照して、制御情報が自機器向けか否かを判定する。制御情報が自機器向けであれば、制御装置３３は、制御情報中の指示又はコマンド（以下コマンド）に従って、ＬＥＤ群３４の状態を制御する。
【００３６】
ここに、ＬＥＤ群３４（ＬＥＤ照明機器Ｌ）の状態は、ＬＥＤ群３４の点灯状態と、ＬＥＤ群３４の消灯状態とを含む。さらに、本実施形態では、ＬＥＤ群３４の点灯時における状態として、ＬＥＤ群の調光状態と、調色状態とが制御される。調光状態は、ＬＥＤ群３４の発光による照明光の輝度（発光量）を指し、調色状態とは、ＬＥＤ群３４の発光による照明光の色の三要素である色相（色度、色温度）、明度、彩度を指す。
【００３７】
例えば、ＬＥＤ群３４は、色温度が相互に異なる二つの白色ＬＥＤ群である第１ＬＥＤ群及び第２ＬＥＤ群を含むことができる。第１ＬＥＤ群及び第２ＬＥＤ群のそれぞれは、所定数のＬＥＤ素子からなる。この場合、制御装置３３は、第１ＬＥＤ群のＬＥＤ素子の点灯個数と第２ＬＥＤ群のＬＥＤ素子の点灯個数との比が変化しない状態で、第１ＬＥＤ群及び第２ＬＥＤ群のＬＥＤ素子の点灯個数を上げることで、照明光の輝度を上げることができる。逆に、制御装置３３は、上記の状態において点灯個数を下げることで、照明光の輝度を下げることができる。
【００３８】
また、制御装置３３は、第１ＬＥＤ群のＬＥＤ素子の点灯個数と第２ＬＥＤ群のＬＥＤ素子の点灯個数との比を変更することで、照明光の色温度を変更することができる。例えば、第１ＬＥＤ群の色温度が第２ＬＥＤ群の色温度より高い場合には、第１ＬＥＤ群の点灯個数が第２ＬＥＤ群の点灯個数より多くなる程、照明光の色温度が上昇する。逆に、第２ＬＥＤ群の点灯個数が第１ＬＥＤ群の点灯個数より大きくなる程、照明光の色温度が低下する。
【００３９】
また、ＬＥＤ群３４として、直列に接続された複数のＬＥＤ素子からなる第１ＬＥＤ群と直列に接続された複数のＬＥＤ素子からなる第２ＬＥＤ群とが逆並列に接続されたＬＥＤ群を適用することもできる。この場合でも、第１ＬＥＤ群と第２ＬＥＤ群として、色温度が相互に異なる第１ＬＥＤ群と第２ＬＥＤ群とが選択される。当該構成が適用される場合、ＬＥＤ群３４には、交流電流が供給され、例えば正のサイクルで第１ＬＥＤ群に電流が流れ、負のサイクルで第２ＬＥＤ群に電流が流れる。
【００４０】
制御装置３３は、第１ＬＥＤ群及び第２ＬＥＤ群に供給される平均電流の比を変えない状態で、電力の総量を変更することで、ＬＥＤ群３４の発光による照明光の輝度を変更することができる。また、制御装置３３は、単位時間当たりに第１ＬＥＤ群へ供給される平均電流量（電力量）と第２ＬＥＤ群へ供給される平均電流量（電力量）との比を変化させることで、照明光の色温度を変化させることができる。
【００４１】
本実施形態において、ＬＥＤ照明機器Ｌには、輝度及び色温度に対する複数の段階（レベル）が予め設定されている。例えば、点灯コマンドを制御装置３３が受けとったとき、
制御装置３３は、ＬＥＤ群３４を初期レベルとして予め設定された輝度レベル及び色温度レベルで点灯させる。
【００４２】
また、調光コマンド（輝度調整用のコマンド）は、例えば、輝度上昇、輝度低下の二つの種別を含むことができる。制御装置３３は、輝度上昇のコマンドを受け取った場合には、ＬＥＤ群３４の輝度が１レベル上昇するように制御（例えば、電流／電圧調整）を行う。逆に輝度低下のコマンドを受け取った場合には、制御装置３３は、ＬＥＤ群３４の輝度が１レベル低下するように制御を行う。
【００４３】
同様に、調色コマンド（色温度調整用のコマンド）は、色温度上昇、色温度低下の二つを含むことができる。制御装置３３は、色温度上昇のコマンドを受け取った場合には、ＬＥＤ群３４の色温度が１レベル上昇するように制御を行う。逆に色温度低下のコマンドを受け取った場合には、制御装置３３は、ＬＥＤ群３４の色温度が１レベル低下するように制御を行う。
【００４４】
また、調光コマンド及び調色コマンドのそれぞれは、輝度レベルや色温度レベルの指定情報を含むこともできる。この場合、制御装置３３は、指定情報を含んだ調光コマンドを受けとった場合には、ＬＥＤ群３４の輝度レベルを指定された輝度レベルに調整する。また、制御装置３３は、指定情報を含んだ調色コマンドを受けとった場合には、ＬＥＤ群３４の色温度レベルを指定された色温度レベルに調整する。
【００４５】
本実施形態では、個別のＬＥＤ照明機器Ｌに関する輝度及び色温度が調整可能であり、且つ全ＬＥＤ照明機器Ｌを対象とする輝度及び色温度が調整可能である例について説明する。個別のＬＥＤ照明機器Ｌに対する調光コマンド及び調色コマンドは、対象のＬＥＤ照明機器Ｌの輝度又は色温度を１レベル上昇又は低下させる内容を含む。一方、全ＬＥＤ照明機器Ｌを対象とする調光コマンド及び調色コマンドは、全ＬＥＤ照明機器Ｌの輝度又は色温度を指定されたレベルにする内容を含む。
【００４６】
以上のように、制御装置３３は、点灯コマンド、消灯コマンドに従って、ＬＥＤ群３４（ＬＥＤ照明機器Ｌ）の点灯及び消灯を制御する。また、制御装置３３は、調光コマンドに従って、ＬＥＤ群３４の輝度を制御（調整）する。また、制御装置３３は、調色コマンドに従って、ＬＥＤ群３４の色温度を制御（調整）する。
【００４７】
但し、上述したＬＥＤ群３４の構成、及びＬＥＤ群３４の構成に伴う調光／調色方法は例示である。本実施形態では、ＬＥＤ群３４の状態として、点灯、消灯、調光、調色の４状態を無線制御可能なＬＥＤ照明機器Ｌを例示する。但し、ＬＥＤ照明機器としては、点灯及び消灯を無線制御可能なＬＥＤ照明機器であれば良い。或いは、点灯と、消灯と、調光及び調色の何れか一方とを無線制御可能なＬＥＤ照明機器であっても良い。
【００４８】
また、ＬＥＤ群３４の発光色（照明光の色）は白色に限定されず、白色以外の色で点灯するものであっても良い。また、「ＬＥＤ」には、「有機ＥＬ（Organic Electro-Luminescence：OEL）」が含まれる。
【００４９】
＜コントローラ＞
図１に戻って、コントローラ１０は、上述したように、無線通信部１１と、制御部１２と、コンソール１３とを備えている。制御部１２は、壁スイッチモニタ部１５，電源スイッチ制御部１６，調光／調色制御部１７，マイクロコンピュータ（マイコン:ＣＰＵ（Central Processing Unit））１８及びメモリ１９を備えている。
【００５０】
無線通信部１１は、無線端末２０からの制御信号（無線信号）を受信（傍受）する受信
機と、各ＬＥＤ照明機器Ｌへ制御信号（無線信号）を送信する送信機とを備えている。受信機は、ＬＥＤ照明機器Ｌについて説明した無線部２２と同様に、受信アンテナと、ＬＮＡと、ダウンコンバータとを有する。受信機は、受信アンテナで受信された無線信号の低雑音増幅及びダウンコンバートを行いベースバンド信号を得る。送信機は、ベースバンド信号を無線周波数の無線信号にアップコンバートするアップコンバータと、無線周波数の信号を増幅するパワーアンプ（ＰＡ）と無線信号（電波）を放射する送信アンテナとを含む。なお、無線通信部１１がデュプレクサを備え、受信アンテナと送信アンテナとが共用されるようにしても良い。
【００５１】
壁スイッチモニタ部１５は、壁スイッチＳＷ２の状態を監視（モニタ）する。具体的には、壁スイッチＳＷ２は、バネ、ゴムのような弾性部材により付勢されたボタンを有し、ボタンがオペレータに押されている間、オン状態となり、ボタンに対する押圧力が解除されると、弾性部材の付勢力でボタンが元の位置に復帰しオフ状態となるように形成されている。
【００５２】
壁スイッチＳＷ２のオフ状態では、壁スイッチＳＷ２と壁スイッチモニタ部１５とを結ぶ信号線３上の信号レベルは、電圧ＶBにプルアップされていることで“Ｈ（High）”と
なり、壁スイッチモニタ部１５への入力“ｉｎ”が“Ｈ”となる。壁スイッチＳＷ２のオン操作によって壁スイッチＳＷ２がオンとなると、電圧ＶBの接地（短絡）により、信号
線の信号レベル（入力“ｉｎ”）が“Ｌ（Low）”になる。
【００５３】
壁スイッチモニタ部１５は、入力“ｉｎ”の“Ｌ”信号を電源スイッチＳＷ１のオン信号として捉え、“電源スイッチオン”の状態を保持する。この“電源スイッチオン”の状態は、壁スイッチＳＷ２がオフ状態に戻っても維持される。その後、再び壁スイッチＳＷ２がオンにされると、信号線３に生じる“Ｌ”信号は、電源スイッチＳＷ１のオフ信号として壁スイッチモニタ部１５に捉えられ、壁スイッチモニタ部１５は、“電源スイッチオン”状態を“電源スイッチオフ”状態に切り替える。このように、壁スイッチモニタ部１５は、壁スイッチＳＷ２のボタンが押される毎に入力される“Ｌ”信号に基づき、“電源スイッチオン”状態と“電源スイッチオフ”状態との一方を切り替えて保持する。
【００５４】
電源スイッチ制御部１６は、マイコン１８からの指示に従って、電源スイッチＳＷ１をオンオフする信号を出力する。マイコン１８は、壁スイッチモニタ部１５で保持された状態を参照する。壁スイッチモニタ部１５が“電源スイッチオン”状態を保持していれば、マイコン１８は、電源スイッチ制御部１６に対し、電源スイッチＳＷ１のオン指示を与える。オン指示を受けた電源スイッチ制御部１６は、電源スイッチＳＷ１と接続された信号線４への出力“out”として“Ｈ”（オン）信号を出力する（信号線４上の信号レベルを
“Ｈ”にする）。これによって、電源スイッチＳＷ１は“Ｈ”信号を受けてオンになる。
【００５５】
一方、マイコン１８は、壁スイッチモニタ部１５に保持された状態が“電源スイッチオフ”状態であれば、電源スイッチ制御部１６に対し、電源スイッチＳＷ１のオフ指示を与える。オフ指示を受けた電源スイッチ制御部１６は、信号線４の出力“out”として“Ｌ
”（オフ）信号を出力する。電源スイッチＳＷ１は、“Ｌ”信号を受けてオフになる。
【００５６】
調光／調色制御部１７は、コンソール１３から入力される各ＬＥＤ照明機器Ｌ向けの調光／調色指示（輝度上昇、輝度低下、色温度上昇、色温度低下）に応じた調光／調色コマンドを生成し、マイコン１８に渡す。
【００５７】
上記した壁スイッチモニタ部１５，電源スイッチ制御部１６，調光／調色制御部１７は、例えば、電気／電子回路，集積回路（ＩＣ，ＬＳＩ，ＡＳＣ），プログラマブルロジックデバイス（ＰＤＬ、例えば、ＦＰＧＡ（Field Programmable Gate Array））の少なく
とも一つ、或いはこれらの２以上の組み合わせを用いたハードウェアによって形成することができる。また、壁スイッチモニタ部１５，電源スイッチ制御部１６，調光／調色制御部１７の動作は、マイコン１８及びメモリ１９のようなプロセッサ及びメモリを用いたソフトウェア処理を用いて実行することもできる。
【００５８】
コンソール１３は、無線端末２０の電源オフ時に、オペレータが各ＬＥＤ照明機器１７の調色／調光状態を操作するための入力装置と、入力装置の補助のための情報を含む様々な情報を表示する表示装置（出力装置）とを含む。
【００５９】
例えば、入力装置は、制御対象のＬＥＤ照明機器Ｌ（全体又は個別）を指定する指定ボタンと、輝度の上昇、下降を指示するボタンと、色温度の上昇、下降を指示するボタンとを含むことができる。表示装置は、制御対象候補のＬＥＤ照明機器Ｌを示す情報や、ＬＥＤ照明機器Ｌの現在の輝度レベルや色温度レベルを示す情報などを表示することができる。
【００６０】
但し、本実施形態では、コンソール１３の使用（コントローラ１０を用いたＬＥＤ照明機器Ｌの操作）は、無線端末２０の電源オフ時にのみ許容される。例えば、マイコン１８が無線端末２０から送信される無線端末２０の電源オフ信号を無線通信部１１を介して受信したとき、コンソール１３からの入力を受け付ける状態となる。逆に、マイコン１８が無線端末２０から送信される無線端末２０の電源オン信号を無線通信部１１を介して受信したとき、コンソール１３からの入力受け付けを禁止する状態となる。もっとも、このような仕様は必須要件ではなく、各ＬＥＤ照明機器Ｌの操作が無線端末２０とコントローラ１０とで並列に実施可能であっても良い。
【００６１】
メモリ１９は、例えば、不揮発性記憶領域及び揮発性記憶領域を含む。メモリ１９の不揮発性記憶領域には、マイコン１８によって実行されるプログラムや、プログラムの実行に際して使用されるデータを記憶する。また、メモリ１９の揮発性記憶領域は、主としてマイコン１８の作業領域として使用される。メモリ１９として、例えば、不揮発性領域を形成する不揮発性メモリ（例えば、ＲＯＭ，ＥＥＰＲＯＭ，フラッシュメモリ）と揮発性領域を形成する揮発性メモリ（ＲＡＭ（ＤＲＡＭ））との組み合わせが適用される。但し、メモリ１９に適用される不揮発性記憶媒体及び揮発性記憶媒体の種別は問わない。
【００６２】
マイコン１８は、メモリ１９に記憶されたプログラムを実行することによって、コントローラ１０全体の動作を制御する。例えば、マイコン１８は、無線通信部１１からのベースバンド信号に対する復調及び復号処理を行ってデータを得る。逆に、マイコン１８は、データに対する符号化処理及び変調処理を行ってベースバンド信号を生成し、無線通信部１１に送る。
【００６３】
本実施形態において、マイコン１８は、無線通信部１１で受信される無線端末２０からの制御信号を受信し、制御信号の解釈を通じて電源スイッチ制御部１６の動作を制御することで、無線端末２０の操作による電源スイッチＳＷ１のオンオフを可能とする。また、マイコン１８は、無線端末２０から受信された制御信号の解釈を通じて、各ＬＥＤ照明機器Ｌの状態をメモリ１９に記憶し、電源スイッチＳＷ１がオフになった後にオンとなったときに、各ＬＥＤ照明機器Ｌの状態を消灯前の点灯状態にする処理を行うことができる。マイコン１８の詳細な処理については後述する。
【００６４】
＜無線端末＞
図３は、無線端末２０の構成例を示す図である。無線端末２０は、無線部（ＲＦ）２１と、制御部２２と、コンソール２３とを備える。制御部２２は、マイコン２４と、メモリ２５とを備えている。また、無線端末２０は、バッテリ２６と電源ボタン２７を備えてい
る。電源ボタン２７がオンにされると、バッテリ２６から無線部２１，制御部２２，コンソール２３に動作電力が供給される。また、電源ボタン２７がオフにされると、バッテリ２６からの動作電力供給が停止される。
【００６５】
コンソール２３は、各ＬＥＤ照明機器Ｌの状態の制御指示を入力するための入力装置と、入力内容やオペレータによる指示入力を支援する情報を表示する表示装置とを含んでいる。ここに、入力装置は、オペレータによる情報入力用のキー，ボタン，タッチパネルの少なくとも１つを含んでいる。オペレータは、入力装置を用いて、制御対象のＬＥＤ照明機器Ｌ（全てのＬＥＤ照明機器Ｌ１〜Ｌｎ又は個別のＬＥＤ照明機器Ｌ）を指定（選択）する情報を入力することができる。また、オペレータは、入力装置を用いて、「全点灯」、「全消灯」、「点灯（個別）」、「消灯（個別）」、「調光（全体）」、「調色（全体）」、「調光（個別）」、「調色（個別）」の何れかの制御指示を入力することができる。
【００６６】
「全点灯」指示は、ＬＥＤ照明機器Ｌ１〜Ｌｎの全てを点灯状態にする指示である。「全消灯」指示は、ＬＥＤ照明機器Ｌ１〜Ｌｎの全てを消灯状態にする指示である。「点灯（個別）」は、複数のＬＥＤ照明機器Ｌ１〜Ｌｎの中から選択されたＬＥＤ照明機器Ｌを点灯状態にする指示である。「消灯（個別）」指示は、複数のＬＥＤ照明機器Ｌ１〜Ｌｎの中から選択されたＬＥＤ照明機器Ｌを消灯状態にする指示である。
【００６７】
「調光（全体）」指示は、ＬＥＤ照明機器Ｌ１〜Ｌｎの輝度を所定のレベルにする指示である。「調色（全体）」指示は、ＬＥＤ照明機器Ｌ１〜Ｌｎの色温度を所定のレベルにする指示である。「調光（個別）」指示は、複数のＬＥＤ照明機器Ｌ１〜Ｌｎの中から選択されたＬＥＤ照明機器Ｌの輝度を所定のレベルにする（１レベル上昇、又は１レベル低下にする）指示である。「調色（個別）」指示は、複数のＬＥＤ照明機器Ｌ１〜Ｌｎの中から選択されたＬＥＤ照明機器Ｌの色温度を所定のレベルにする（１レベル上昇、又は１レベル低下にする）指示である。
【００６８】
メモリ２５は、マイコン２４によって実行されるプログラムと、プログラムの実行の際に使用されるデータとを記憶する。また、メモリ２５は、マイコン２４の作業領域として使用される。
【００６９】
マイコン２４は、コンソール２３（入力装置）から入力された指定情報に応じたＬＥＤ照明機器Ｌの識別子（ＩＤ又はアドレス）を抽出する。すなわち、メモリ２５には、各ＬＥＤ照明機器Ｌに予め割り当てられた識別子のマスタデータが記憶されており、マイコン２４は、選択入力に対応する識別子を抽出する。このとき、選択入力が全ＬＥＤ照明機器Ｌを指定する場合には、全ＬＥＤ照明機器Ｌを示す識別子（ＩＤ又はブロードキャストアドレス）が抽出される。
【００７０】
また、マイコン２４は、入力された制御指示に対応するコマンドを含む制御情報を生成する。さらに、マイコン２４は、識別子及び制御情報を送信データとして符号化及び変調処理を行い、ベースバンド信号を生成する。ベースバンド信号は、無線部２１へ送られる。
【００７１】
無線部２１は、上述したコントローラ１０における無線通信部１１の送信機と同様の構成を有する。すなわち、無線部２１は、マイコン２４から得られたベースバンド信号を無線信号にアップコンバートし、増幅した後に送信アンテナから放射する。これによって、ＬＥＤ照明機器Ｌ１〜Ｌｎの全て、又は個別のＬＥＤ照明機器Ｌ向けの制御信号が無線端末２０から送信される。
【００７２】
なお、マイコン２４は、電源ボタン２７がオンにされたことを検知すると、電源オン信号を無線部２１を介して送信する処理を行う。また、マイコン２４は、電源ボタン２７がオフにされたことを検知すると、電源オフ信号を無線部２１を介して送信する処理を行う。コントローラ１０では、電源オン信号及び電源オフ信号の受信によって、コンソール１３の使用の可否が判定される。
【００７３】
＜コントローラにおける処理＞
次に、コントローラ１０のマイコン１８によって実行される主な処理について説明する。図４は、各ＬＥＤ照明機器Ｌの状態を管理する状態管理テーブル１９Ａのデータ構造例を示す図である。状態管理テーブル１９Ａは、例えば、メモリ１９の不揮発性領域又は揮発性領域に記憶され、マイコン１８によって管理される。
【００７４】
状態管理テーブル１９Ａは、各ＬＥＤ照明機器Ｌの識別子（ＬＥＤ−ＩＤ）毎に用意された複数のエントリを有し、各エントリは、対応するＬＥＤ照明機器Ｌの状態情報として、ＬＥＤ照明機器Ｌの点灯／消灯状態と、調光状態（輝度レベル）と、調色状態（色温度レベル）とを保持する。
【００７５】
上記したように、コントローラ１０の無線通信部１１は、無線端末２０からの制御信号を傍受し、マイコン１８において、制御信号の解釈（識別子及びコマンド内容の解析）が行われる。マイコン１８は、識別子に対応するＬＥＤ照明機器Ｌのエントリに、コマンド内容に基づく状態（点灯／消灯、調光／調色）を書き込む。エントリには、最新のＬＥＤ照明機器Ｌの状態が書き込まれるようになっている。
【００７６】
例えば、図４に示したＬＥＤ−ＩＤ“Ｌ１”のエントリは、ＬＥＤ照明機器Ｌ１の状態を示し、ＬＥＤ照明機器Ｌ１が点灯状態であり、且つ輝度レベルが“１”で且つ色温度レベルが“１”であることを示す。この状態において、ＬＥＤ照明機器Ｌ１向けの制御信号（「調光」コマンド（輝度上昇））がコントローラ１０で傍受された場合には、マイコン１０は、ＬＥＤ照明機器Ｌ１に対応するエントリの輝度レベルを“２”に変更する。
【００７７】
或いは、ＬＥＤ照明機器Ｌ１〜Ｌｎ向けの制御信号（「全消灯」コマンド）がコントローラ１０で受信された場合には、ＬＥＤ照明機器Ｌ１〜Ｌｎに対応するエントリの点灯／消灯状態を“消灯”に書き換える。或いは、ＬＥＤ照明機器Ｌ１〜Ｌｎ向けの制御信号（「調光」コマンド（指定色温度レベル４））がコントローラ１０で受信された場合には、全てのＬＥＤ照明機器Ｌに対応するエントリの調色状態（色温度レベル）を“４”に書き換える。
【００７８】
このような状態管理テーブル１９Ａの記憶内容は、ＬＥＤ照明機器Ｌのリジューム機能、すなわち、電源スイッチＳＷ１がオフとなるときにＬＥＤ照明機器Ｌの状態を記憶しておき、電源スイッチＳＷ１がオンになったときに、記憶された状態を再現する機能を実行するために使用される。
【００７９】
コントローラ１０に対しては、リジューム機能のオンオフを設定するためのフラグを予め設定可能であり、フラグはメモリ１９に予め記憶される。マイコン１８は、フラグを参照し、フラグがオンであればリジューム機能が有効なモード（リジュームモード）で動作し、フラグがオフであればリジューム機能が無効なモード（非リジュームモード）で動作する。
【００８０】
図５は、コントローラ１０のマイコン１８によって実行される主な処理例を示すフローチャートである。図５において、マイコン１８は、無線通信部１１が傍受する無線端末２０から送信されたＬＥＤ照明機器Ｌ向けの制御信号を待ち受け、制御信号中の識別子及び
制御情報を得る（０１）。
【００８１】
次に、マイコン１８は、制御情報がＬＥＤ照明機器Ｌ１〜Ｌｎの全てを制御対象とする「全消灯」コマンドを含むか否か（制御コマンドが「全消灯」コマンドか否か）を判定する（０２）。マイコン１８は、制御情報の宛先（制御対象）を識別子の参照によって認識することができる。ここで、「全消灯」コマンドが含まれる場合には（０２，Ｙ）、処理が０３に進み、そうでない場合には（０２，Ｎ）、処理が０７に進む。
【００８２】
０３では、マイコン１８は、電源スイッチＳＷ１がオンか否かを判定する。例えば、マイコン１８は、電源スイッチ制御部１６に対する現在の（最新の）指示内容（電源スイッチＳＷ１のオン又はオフ）をメモリ１９に記憶するようになっており、当該指示内容を参照して、電源スイッチＳＷ１がオンか否かを判定することができる。電源スイッチＳＷ１がオンであれば（０３，Ｙ）、処理が０４に進む。電源スイッチＳＷ１がオフであれば（０３，Ｎ）、「全消灯」コマンドを含む制御信号は無効であるので、処理を０１に戻す。
【００８３】
０４では、マイコン１８は、リジューム機能のフラグがオンかオフかを判定する。リジューム機能のフラグがオンであれば（０４，Ｙ）、処理が０６に進む。フラグがオフであれば（０４，Ｎ）、処理が０５に進む。
【００８４】
０５では、マイコン１８は、状態更新処理を行う。すなわち、マイコン１８は、状態管理テーブル１９ＡにおけるＬＥＤ照明機器Ｌ１〜Ｌｎの状態を初期状態に戻す。すなわち、マイコン１８は、点灯／消灯状態を“消灯状態”に設定し、且つ調光状態及び調色状態を初期状態のレベル（所定の輝度レベル及び所定の色温度レベル）に設定し、処理を０６に進める。
【００８５】
０６では、マイコン１８は、電源スイッチＳＷ１のオフ処理を行う。すなわち、マイコン１８は、電源スイッチ制御部１６にオフ指示を与える。これによって、電源スイッチ制御部１６が信号線４に“Ｌ”信号を出力する状態となり、電源スイッチＳＷ１がオフとなる。また、マイコン１８は、壁スイッチモニタ部１５が保持する”電源スイッチオン”状態を”電源スイッチオフ”状態に変更する。
【００８６】
０６の時点で、「全消灯」コマンドを含む制御信号は、ＬＥＤ照明機器Ｌ１〜Ｌｎにて受信され、ＬＥＤ照明機器Ｌ１〜Ｌｎのそれぞれは消灯状態となる。但し、電源スイッチＳＷ１がオフでは無いため、各無線部３２は電源回路３１からの電力を受けてアクティブの状態にあり、待機電力を消費する状態となっている。０６の処理により、電源スイッチＳＷ１がオフにされ、各ＬＥＤ照明機器Ｌへの電力供給が停止されることで、各ＬＥＤ照明機器Ｌでの待機電力が削減される。
【００８７】
また、リジューム機能がオンである場合には、０５における状態のリセット（初期状態への復帰）が行われないので、各ＬＥＤ照明機器Ｌが全消灯状態となる前の状態（点灯／消灯、調光状態（輝度レベル）、調色状態（色温度レベル））が維持された状態でメモリ１９に残る状態となる。
【００８８】
０７に処理が進んだ場合には、マイコン１８は、制御情報が「全点灯」コマンドを含むか否か（制御コマンドが「全点灯」コマンドか否か）を判定する。制御情報が「全点灯」コマンドを含む場合には（０７，Ｙ）、処理が０８に進み、そうでない場合には（０７，Ｎ）、処理が１３に進む。
【００８９】
０８では、マイコン１８は、０３で説明した手法を用いて、電源スイッチＳＷ１がオフか否かを判定する。電源スイッチＳＷ１がオフであれば（０８，Ｙ）、処理が０９に進む
。これに対し、電源スイッチＳＷ１がオンであれば（０８，Ｎ）、処理が０１に戻る。この場合、ＬＥＤ照明機器Ｌ１〜Ｌｎのそれぞれは、無線端末２０からの「全点灯」コマンドに従って、初期状態の輝度レベル及び色温度レベルで点灯することになる。
【００９０】
０９では、マイコン１８は、電源スイッチ制御部１６にオン指示を与える。これによって、電源スイッチ制御部１６が信号線４に“Ｈ”信号を出力するので、電源スイッチＳＷ１がオンになる。また、マイコン１８は、壁スイッチモニタ部１５が保持する”電源スイッチオフ”状態を”電源スイッチオン”状態に変更する。その後、処理が１０に進む。
【００９１】
０９の処理によって、ＬＥＤ照明機器Ｌ１〜Ｌｎは、電源ライン１（１ｂ）からの電力を受けて待機状態（無線部３２で制御信号を待ち受ける状態）となる。なお、電源スイッチＳＷ１がオフのときに無線端末２０から送信された「全点灯」コマンドを含む制御信号は、各ＬＥＤ照明機器Ｌの無線部３２がオフであるため、各ＬＥＤ照明機器Ｌで受信されない。
【００９２】
１０では、マイコン１８は、リジューム機能のフラグがオンかオフかを判定する。リジューム機能のフラグがオンであれば（１０，Ｙ）、処理が１１に進む。フラグがオフであれば（１０，Ｎ）、処理が１２に進む。
【００９３】
１１では、マイコン１８は、状態再現処理を行う。すなわち、マイコン１８は、状態管理テーブル１９Ａを参照し、ＬＥＤ照明機器Ｌ１〜Ｌｎのそれぞれに関して、対応するエントリに記憶された状態を再現するための制御信号を生成し、無線通信部１１を介して各ＬＥＤ照明機器Ｌへ送信する。
【００９４】
例えば、ＬＥＤ照明機器Ｌ１の状態が図４に示す状態であれば、ＬＥＤ照明機器Ｌ１向けの制御信号として、「点灯」コマンドを含む制御信号と、輝度レベルを“１”にする「調光」コマンドを含む制御信号と、色温度レベルを“１”にする「調色」コマンドを含む制御信号を生成し、ＬＥＤ照明機器Ｌ１へ送信する。ＬＥＤ照明機器Ｌ１では、コントローラ１０から送信される各制御信号に基づいて、制御装置３３が、ＬＥＤ群３４を制御信号で指定された輝度レベル及び色温度レベルで点灯させる。
【００９５】
マイコン１８は、残りのＬＥＤ照明機器Ｌ２〜Ｌｎに関して、ＬＥＤ照明機器Ｌ１と同様の処理を行う。これによって、ＬＥＤ照明機器Ｌ２〜Ｌｎも、「全消灯」コマンドを受けて消灯する前の状態になる。ここで、図４に示すように、ＬＥＤ照明機器Ｌ２は、消灯状態であるので、マイコン１８はＬＥＤ照明機器Ｌ２向けの制御信号を送信しない。従って、ＬＥＤ照明機器Ｌ２は、待機状態を維持する。１１の処理によって、各ＬＥＤ照明機器Ｌの状態が再現される。これによって、オペレータが、全消灯を起因として各ＬＥＤ照明機器Ｌの状態を再設定する手間を省くことができる。１１の処理が終了すると、処理が０１に戻り、制御信号の待ち受け状態になる。
【００９６】
１２では、マイコン１８は、ＬＥＤ照明機器Ｌ１〜Ｌｎの全てに向けた「全点灯」コマンドを含む制御信号を生成し、無線通信部１１を介して送信する。上記したように、０９の時点で、ＬＥＤ照明機器Ｌ１〜Ｌｎのそれぞれは待機状態となっているからである。ＬＥＤ照明機器Ｌ１〜Ｌｎのそれぞれは、「全点灯」コマンドに従って、初期状態の輝度レベル及び色温度レベルで点灯する。１２の処理が終了すると、処理が０１に戻り、制御信号の待ち受け状態になる。
【００９７】
１１又は１２の処理によって、あたかも、ＬＥＤ照明機器Ｌ１〜Ｌｎのそれぞれは、無線端末２０から送信された「全点灯」コマンドによって点灯した状態となる。これによって、無線端末２０のオペレータが、電源スイッチＳＷ１のオンによって待機状態となった
各ＬＥＤ照明機器Ｌに関して指示入力を行う手間を省くことができる。
【００９８】
１３に処理が進んだ場合には、マイコン１８は、制御情報がＬＥＤ照明機器Ｌ１〜Ｌｎの何れか（例えば、ＬＥＤ照明機器Ｌ３）を対象とする「消灯」コマンドを含むか否か（制御コマンドが「消灯（個別）」コマンドか否か）を判定する。「消灯（個別）」コマンドが含まれる場合には（１３，Ｙ）、処理が１４に進み、そうでない場合には（１３，Ｎ）、処理が１９に進む。
【００９９】
１４では、マイコン１８は、電源スイッチＳＷ１がオンか否かを判定する。電源スイッチＳＷ１がオンであれば（１４，Ｙ）、処理が１５に進む。これに対し、電源スイッチＳＷ１がオフであれば（１４，Ｎ）、「消灯（個別）」コマンドを含む制御信号は無効であるので、処理を０１に戻す。
【０１００】
１５では、マイコン１８は、リジューム機能のフラグがオンかオフかを判定する。リジューム機能のフラグがオンであれば（１５，Ｙ）、処理が１７に進む。フラグがオフであれば（１５，Ｎ）、処理が１６に進む。
【０１０１】
１６では、マイコン１８は、状態更新処理を行う。すなわち、マイコン１８は、状態管理テーブル１９ＡにおけるＬＥＤ照明機器Ｌ３の状態を０５で説明した初期状態に戻し、処理を１７に進める。１５から１７へ処理が進む場合にも、マイコン１８は、状態管理テーブル１９Ａの更新を行う。但し、この場合は、対象のＬＥＤ照明機器Ｌ３の点灯／消灯状態を“消灯”に設定するだけで、調光及び調色状態は変更しない。
【０１０２】
１７では、マイコン１８は、状態管理テーブル１９ＡにおけるＬＥＤ照明機器Ｌ１〜Ｌｎの全ての点灯／消灯状態が“消灯”であるか否かを判定する。このとき、全ての点灯／消灯状態が“消灯”であれば（１７，Ｙ）、ＬＥＤ照明機器Ｌ１〜Ｌｎの全てが待機状態であることを意味する。すなわち、処理が１４から１５以降に進む場合（電源スイッチＳＷ１がオンのとき）では、１３にてマイコン１８が検知する無線端末２０からの「消灯（個別）」コマンドを含む制御信号は宛先のＬＥＤ照明機器Ｌで正常に受信され、１７の時点で当該ＬＥＤ照明機器Ｌは「消灯（個別）」コマンドに従い消灯状態（待機状態）となっている。このため、マイコン１８は、０６で説明した手法を用いて、電源スイッチＳＷ１をオフにする（１８）。これに対し、全ての点灯／消灯状態が“消灯”でなければ（１７，Ｎ）、点灯状態のＬＥＤ照明機器Ｌがあることを意味するので、マイコン１８は、処理を０１に戻し、制御信号を待ち受ける状態となる。
【０１０３】
１９に処理が進んだ場合には、マイコン１８は、制御情報がＬＥＤ照明機器Ｌ１〜Ｌｎの何れか（例えばＬＥＤ照明機器Ｌ３）に向けた「点灯（個別）」コマンドを含むか否かを判定する。制御情報が「点灯（個別）」コマンドを含む場合には（１９，Ｙ）、処理が２０に進み、そうでない場合には（１９，Ｎ）、処理が２５に進む。
【０１０４】
２０では、マイコン１８は、０３で説明した手法を用いて、電源スイッチＳＷ１がオフか否かを判定する。電源スイッチＳＷ１がオフであれば（２０，Ｙ）、処理が２１に進む。これに対し、電源スイッチＳＷ１がオンであれば（２０，Ｎ）、処理が０１に戻る。この場合、ＬＥＤ照明機器Ｌ３は、「点灯（個別）」コマンドに従って、例えば、初期状態の輝度レベル及び色温度レベルで点灯することになる。
【０１０５】
２１では、マイコン１０は、０９の処理と同様の手法で、電源スイッチＳＷ１をオンにする。これによって、ＬＥＤ照明機器Ｌ１〜Ｌｎのそれぞれが待機状態となる。その後、処理が２２に進む。なお、電源スイッチＳＷ１がオフのときに無線端末２０から送信された「点灯（個別）」コマンドを含む制御信号は、ＬＥＤ照明機器Ｌ３の無線部３２がオフ
であるため、ＬＥＤ照明機器Ｌ３で受信されない。
【０１０６】
２２では、マイコン１８は、リジューム機能のフラグがオンかオフかを判定する。リジューム機能のフラグがオンであれば（２２，Ｙ）、処理が２３に進む。フラグがオフであれば（２２，Ｎ）、処理が２４に進む。
【０１０７】
２３では、マイコン１８は、状態再現処理を行う。すなわち、マイコン１８は、状態管理テーブル１９Ａを参照し、ＬＥＤ照明機器Ｌ３のエントリに関して、点灯／消灯状態を“点灯”にする一方で、当該エントリにて記憶されている輝度レベル及び色温度レベルを再現するための各制御信号を生成し、無線通信部１１を介してＬＥＤ照明機器Ｌ３へ送信する。
【０１０８】
例えば、ＬＥＤ照明機器Ｌ３の輝度レベル及び色温度レベルが図４に示す状態であれば、ＬＥＤ照明機器Ｌ３向けの制御信号として、「点灯」コマンドを含む制御信号と、輝度レベルを“１”にする「調光」コマンドを含む制御信号と、色温度レベルを“３”にする「調色」コマンドを含む制御信号を生成し、ＬＥＤ照明機器Ｌ３へ送信する。ＬＥＤ照明機器Ｌ３では、コントローラ１０から送信される各制御信号に基づいて、制御装置３３が、ＬＥＤ群３４を制御信号で指定された輝度レベル“１”及び色温度レベル“３”で点灯させる。２３の処理終了後、処理は０１に戻る。
【０１０９】
２４では、マイコン１８は、ＬＥＤ照明機器Ｌ３に向けた「点灯（個別）」コマンドを含む制御信号を生成し、無線通信部１１を介して送信する。ＬＥＤ照明機器Ｌ３は、コントローラ１０からの「点灯（個別）」コマンドに従って、初期状態の輝度レベル及び色温度レベルで点灯する。２４の処理が終了すると、処理が０１に戻り、制御信号の待ち受け状態になる。
【０１１０】
２４の処理は、以下の理由による。すなわち、処理が２０から２１に進む場合（電源スイッチＳＷ１がオフの場合）には、１９にてマイコン１８により検知される「点灯（個別）」コマンドを含む制御信号は、電源スイッチＳＷ１（ＬＥＤ照明機器Ｌ３）のオフ状態で無線端末２０から送信されたものと想定される。従って、当該「点灯（個別）」コマンドを含む制御信号は無効となる。２１の処理で電源スイッチＳＷ１がオンとなり、ＬＥＤ照明機器Ｌ１〜Ｌｎは待機状態となる。従って、２４の時点では、ＬＥＤ照明機器Ｌ３は待機状態となっている。ここで、無線端末２０のオペレータが改めて「点灯（個別）」コマンドを含む制御信号を送信する操作を行い、所望のＬＥＤ照明機器Ｌを点灯させるようにしても良いが、手間である。２４の処理によれば、２１の処理で待機状態となったＬＥＤ照明機器Ｌに対し、コントローラ１０が無線端末２０の代わりに「点灯（個別）コマンド」を含む制御信号を送信する。このため、オペレータの操作手順数（手間）を減らすことができる。なお、２４の処理はオプションである。１２の処理も同様である。
【０１１１】
１９でＮｏの判定がなされた場合には、制御信号には調光コマンド又は調色コマンドが含まれているものとして、処理が２５に進む。２５では、マイコン１８は、調光コマンド又は調色コマンドの宛先に対応するエントリに関して、調色コマンド又は調色コマンドの内容に従って、輝度レベル又は色温度レベルを更新する。
【０１１２】
例えば、制御信号が全ＬＥＤ照明機器Ｌ１〜Ｌｎに宛てられた輝度レベルの指定情報（例えば輝度レベル“１”）を含む調光コマンドである場合には、ＬＥＤ照明機器Ｌ１〜Ｌｎに対応するエントリにおける輝度レベルを“１”に更新する。或いは、制御信号がＬＥＤ照明機器Ｌ１に宛てられた調色コマンド（色温度上昇）である場合には、現在対応するエントリに記憶されている色温度レベルの値に１を加算した値を設定する。２５の処理が終了すると、処理が０１に戻る。但し、２５の処理は、電源スイッチＳＷ１がオンである
ときに実行され、オフであれば、処理が０１に戻される。
【０１１３】
＜壁スイッチに係る処理＞
上述したように、電源スイッチＳＷ１は、壁スイッチＳＷ２を用いたオンオフ操作でオンオフされる。以下、壁スイッチＳＷ２のオンオフに係るマイコン１８の処理について説明する。
【０１１４】
図６Ａは、電源スイッチＳＷ１がオンの状態において、壁スイッチＳＷ２からオン信号が出力された場合におけるマイコン１８の処理例を示すフローチャートである。図６Ａに示す処理は、例えば、電源スイッチＳＷ１がオンにされたことを契機として開始され、図５に示す処理と並列に実行される。
【０１１５】
マイコン１８は、壁スイッチＳＷ２からのオン信号によって、壁スイッチモニタ部１５が保持する状態が“電源スイッチオフ”状態に変更されるのを待ち受ける状態となる（３１）。そして、壁スイッチモニタ部１５の保持状態が“電源スイッチオフ”状態になったことを検知すると（３１，Ｙ）、リジューム機能がオンかオフかの判定（３２）、状態更新処理（３３），電源スイッチＳＷ１のオフ処理（３４）を行う。３２〜３４の処理内容は、図５に示した０４〜０６の処理と同じであるので説明を省略する。
【０１１６】
図６Ａの処理によって、リジューム機能がオンであれば、壁スイッチＳＷ２を用いたオフ操作で電源スイッチＳＷ１がオフにされるときにおける各ＬＥＤ照明機器Ｌの状態を示す状態情報が状態管理テーブル１９Ａに記憶された状態となる。
【０１１７】
図６Ｂは、壁スイッチＳＷ２を用いた電源スイッチＳＷ１のオン時におけるマイコン１８の処理例を示すフローチャートである。図６Ｂに示す処理は、電源スイッチＳＷ１のオフを契機に開始され、図５に示す処理と並列に実行される。
【０１１８】
図６において、マイコン１８は、壁スイッチモニタ部１５で保持される状態が、壁スイッチＳＷ２のオンによって“電源スイッチオン”状態となるのを待ち受ける（３６）。マイコン１８は、“電源スイッチオン”状態が保持されたのを検知すると、電源スイッチ制御部１６にオン指示を与え、電源スイッチＳＷ１をオンにさせる（３７）。
【０１１９】
次に、マイコン１８は、リジューム機能のフラグ参照によって、リジューム機能がオンかオフかを判定する（３８）。リジューム機能がオフであれば（３８，Ｎ）、図６の処理が終了する。この場合、各ＬＥＤ照明機器Ｌは、待機状態となる。これに対し、リジューム機能がオンであれば（３８，Ｙ）、マイコン１８は、状態再現処理が実行される（３９）。３９で実行される状態再現処理として、図５の１１で実行される状態再現処理（「全点灯」コマンドの検知時）と同様の処理を行うことができる。
【０１２０】
図６Ｂの処理によれば、壁スイッチＳＷ２を用いたオン操作で電源スイッチＳＷ１がオンにされるとき、リジューム機能がオンであれば、電源スイッチＳＷ１がオフにされる前の各ＬＥＤ照明機器Ｌの状態が再現される。
【０１２１】
＜第１実施形態の作用効果＞
以上説明した第１実施形態によれば、ＬＥＤ照明機器Ｌ１〜Ｌｎの全てに向けた「全消灯」コマンドが無線端末２０から各ＬＥＤ照明機器Ｌへ送信され、全てのＬＥＤ照明機器Ｌが待機状態となるときには、コントローラ１０は、電源スイッチＳＷ１をオフにする（図５の０６）。これによって、待機電力の削減を図ることができる。また、無線端末２０の操作で、電源スイッチＳＷ１をオフにすることができ、電源スイッチＳＷ１のオフに壁スイッチＳＷ２を操作する手間を回避することができる。
【０１２２】
また、ＬＥＤ照明機器Ｌ１〜Ｌｎの何れか１つ（例えば、ＬＥＤ照明機器Ｌ１）が点灯状態で、残りのＬＥＤ照明機器Ｌ２〜Ｌｎが消灯状態の場合において、ＬＥＤ照明機器Ｌ１に対する「消灯（個別）」コマンドが無線端末２０から送信された場合には、全てのＬＥＤ照明機器Ｌが待機状態となるので、コントローラ１０は、電源スイッチＳＷ１をオフにする（図５の１８）。これによっても、待機電力の削減を図ることができ、無線端末２０の操作で電源スイッチＳＷ１をオフにすることができる。
【０１２３】
また、電源スイッチＳＷ１のオフ状態において、無線端末２０から「全点灯」コマンド又は「点灯（個別）」コマンドが送信された場合には、制御部１２が電源スイッチＳＷ１をオンにする（図５の０９，２１）。すなわち、制御部１２は、電源スイッチＳＷ１のオフ後に複数のＬＥＤ照明機器Ｌ１〜Ｌｎの少なくとも１つを点灯状態とする制御信号が受信されたときに電源スイッチＳＷ１をオンにする。これによって、無線端末２０の操作によって電源スイッチＳＷ１をオンにすることができる。但し、当該処理はオプションである。
【０１２４】
また、電源スイッチＳＷ１のオフ状態において、無線端末２０から「全点灯」コマンドが送信された場合において、リジューム機能がオンであれば、状態管理テーブル１９Ａに記憶された内容に従って、各ＬＥＤ照明機器Ｌの状態が、電源スイッチＳＷ１をオフにする前の状態にされる。また、無線端末２０から「点灯（個別）」コマンドが送信された場合において、リジューム機能がオンであれば、制御対象のＬＥＤ照明機器Ｌが、オフになる前の輝度レベル及び色温度レベルで点灯する。
【０１２５】
すなわち、制御部１２は、無線通信部１１で受信される制御信号を用いた各ＬＥＤ照明機器Ｌの状態監視を通じて各ＬＥＤ照明機器Ｌが消灯状態となる前の状態に関する状態情報を記憶装置（メモリ１９）に記憶する処理と、電源スイッチＳＷ１のオフ後における複数のＬＥＤ照明機器Ｌの少なくとも１つを点灯状態とする制御信号の受信に応じて電源スイッチＳＷ１をオンにするときに、当該ＬＥＤ照明機器Ｌの少なくとも１つを状態情報に応じた状態にする制御信号を無線通信部１１を介して送信する処理とを実行する。
【０１２６】
このようなリジューム機能の実行によって、電源スイッチＳＷ１のオン時に、オペレータが各ＬＥＤ照明機器Ｌの状態を元に戻す手間を省くことができる。但し、このようなリジューム機能の採用はオプションである。
【０１２７】
また、第１実施形態では、図６Ａ及び図６Ｂの処理によって、壁スイッチＳＷ２からオフ信号が出力されたときにおける各ＬＥＤ照明機器Ｌの状態が状態管理テーブル１９Ａに記憶されるようにし、その後に壁スイッチＳＷ２からオン信号が出力されたときに電源スイッチＳＷ１をオンにするとともに各ＬＥＤ照明機器の状態を状態管理テーブル１９Ａに記憶された状態にする。これによって、壁スイッチＳＷ２の操作で電源スイッチＳＷ１をオンにしたときに、電源スイッチＳＷ１のオフ時における各ＬＥＤ照明機器Ｌの状態を再現することができる。但し、このような壁スイッチＳＷ２に係る処理はオプションである。
【０１２８】
＜変形例＞
上記した第１実施形態では、リジューム機能の実施に当たり、コントローラ１０のメモリ１９（状態管理テーブル１９Ａ）に各ＬＥＤ照明機器Ｌの状態情報が記憶される構成を採用している。当該構成に代えて、以下のように、各ＬＥＤ照明機器Ｌが状態情報を記憶する構成を採用することができる。
【０１２９】
図７Ａは、変形例に係るＬＥＤ照明機器Ｌの構成例を示す。変形例では、ＬＥＤ照明機
器Ｌは、制御装置３３に接続された不揮発性メモリ３５をさらに含む。図７Ｂは、不揮発性メモリ３５に記憶される状態管理テーブル３５Ａの例を示す。
【０１３０】
状態管理テーブル３５Ａは、状態管理テーブル１９Ａと同様に、状態情報として、ＬＥＤ照明機器Ｌの点灯／消灯状態、調光状態（輝度レベル）、及び調色状態（色温度レベル）を記憶する。制御装置３３は、上述したマイコン１８による状態管理テーブル１９Ａの状態管理手法と同様の手法で、状態管理テーブル３５には、消灯状態になる前の最新の状態が記憶される。すなわち、ＬＥＤ照明機器Ｌが待機状態となる前の最新状態が保持される。
【０１３１】
そして、電源スイッチＳＷ１がオフとなり、電力供給が停止されても、状態情報テーブル３５Ａの記憶内容は維持される。電源スイッチＳＷ１がオンにされたとき、制御装置３３は、状態管理テーブル３５Ａを参照し、状態管理テーブル３５Ａで示された状態となるように、ＬＥＤ群３４の状態制御を行う。
【０１３２】
上記変形例によれば、コントローラ１０で状態情報を保持し、状態再現に当たってコントローラ１０が制御信号を生成して送信する処理を省くことができる。また、変形例が採用される場合には、不揮発性メモリ３５にリジューム機能のオンオフを示すフラグが記憶され、フラグのオンオフが無線端末２０からの制御信号で設定可能とする構成を採用することができる。
【０１３３】
〔第２実施形態〕
本発明の第２実施形態について説明する。第２実施形態は、第１実施形態と共通点を有するので、主として相違点について説明し、共通点については説明を省略する。第２実施形態に係るＬＥＤ照明システムは、コントローラ１０が電源スイッチＳＷ１のオンオフに連動してオンオフする構成を採用する。
【０１３４】
図８は、第２実施形態におけるＬＥＤ照明システムの構成例を示す図である。図８において、電源スイッチＳＷ１の下流側の電源ライン１ｂには、ＡＣ／ＤＣ電源回路（第２のＡＣ／ＤＣ電源回路）２Ａが接続されている。ＡＣ／ＤＣ電源回路２Ａは、ＡＣ電源から直流の電源電圧ＶCを生成し、コントローラ１０は、電圧ＶCの印加による電力供給を受けて動作する。
【０１３５】
上記構成により、電源スイッチＳＷ１がオンであれば、コントローラ１０は、ＡＣ／ＤＣ電源回路からの電力を受けてオンとなる。これに対し、電源スイッチＳＷ１がオフとなれば、ＡＣ／ＤＣ電源回路からの電力供給が停止されることで、コントローラ１０はオフとなる。
【０１３６】
第２実施形態では、無線端末２０からの無線信号（オン／オフ信号）を受けてオンオフする無線スイッチＳＷ３が設けられている。無線スイッチＳＷ３は、無線受信機４０と接続されている。無線スイッチＳＷ３は、無線受信機４０が無線端末２０から送信される電源スイッチＳＷ１のオンを指示する無線信号を受信したときに所定時間オンとなる。また、無線スイッチＳＷ３は、無線受信機４０が無線端末２０から送信される電源スイッチＳＷ１のオフを指示する無線信号を受信したときに所定時間オフとなる。
【０１３７】
第２実施形態でも、壁スイッチＳＷ２が設けられており、無線スイッチＳＷ３と壁スイッチＳＷ２との一方がオンにされたときに、電源スイッチＳＷ１がオンになるように、以下の構成を備える。壁スイッチＳＷ２及び無線スイッチＳＷ３と電源スイッチＳＷ１の間には、ＯＲ回路ＯＲ１が設けられている。ＯＲ回路ＯＲ１は、電源電圧ＶBによる電力の
供給を受けて動作する。
【０１３８】
ＯＲ回路ＯＲ１は、壁スイッチＳＷ２と接続された信号線５ａが接続される反転入力端子と、無線スイッチＳＷ３と接続された信号線５ｂが接続される反転入力端子とを含んでいる。壁スイッチＳＷ２及び無線スイッチＳＷ３のそれぞれがオフのとき、信号線５ａ及び信号線５ｂの信号レベルは、電圧ＶBにプルアップされ“Ｈ”レベルとなっている。
【０１３９】
壁スイッチＳＷ２は、第１実施形態と同様に、オン状態となることで接地（短絡）し、信号線５ａの信号レベルを“Ｌ”にする。同様に、無線スイッチＳＷ３も、オン状態となることで接地（短絡）し、信号線５ｂの信号レベルを“Ｌ”にする。
【０１４０】
ＯＲ回路ＯＲ１の出力端子は、信号線６を介して電源スイッチＳＷ１と接続されている。電源スイッチＳＷ１は、信号線６の信号レベル（出力ａ）が“Ｈ”のときにオンとなり、“Ｌ”のときにオフとなる。
【０１４１】
壁スイッチＳＷ２及び無線スイッチＳＷ３の双方がオフの状態では、壁スイッチＳＷ２及び無線スイッチＳＷ３のそれぞれからのＯＲ回路ＯＲ１の入力（反転入力）はともに“Ｌ”となり、ＯＲ回路ＯＲ１の出力は“Ｌ”となる。このため、電源スイッチＳＷ１はオフとなる。これに対し、壁スイッチＳＷ２及び無線スイッチＳＷ３の少なくとも一方がオンになると、オンにされた側のＯＲ回路ＯＲ１の入力（反転入力）が“Ｈ”となるため、ＯＲ回路ＯＲ１の出力は“Ｈ”となり、電源スイッチＳＷ１がオンとなる。
【０１４２】
壁スイッチＳＷ２は、第１実施形態と同様に、オペレータによってボタンが押されている間、オンとなる。一方、無線スイッチＳＷ３も、所定期間オンとなる。このため、壁スイッチＳＷ２及び無線スイッチＳＷ３の一方がオンとなってから或る時間が経過すると、壁スイッチＳＷ２及び無線スイッチＳＷ３の双方がオフの状態に戻る。このような状態においても、電源スイッチＳＷ１のオン状態を維持するために、第２実施形態は、以下の構成を備える。
【０１４３】
すなわち、壁スイッチＳＷ２及び無線スイッチＳＷ３からの各信号は、ＯＲ回路ＯＲ２に反転状態で入力される。ＯＲ回路ＯＲ２の出力端子は、トランジスタＴＲ１のベースに接続されている。トランジスタＴＲ２のコレクタには、電圧ＶBが印加されており、トラ
ンジスタＴＲ２のエミッタは接地されている。壁スイッチモニタ部１５は、トランジスタＴＲ２のコレクタ側の電圧（入力“ｉｎ”）の信号レベルを監視する。
【０１４４】
また、電源スイッチ制御部１６と接続された信号線７は、トランジスタＴＲ１のベースに接続されている。トランジスタＴＲ１のコレクタは信号線５ｃを介してＯＲ回路ＯＲ１の反転入力端子に接続されており、トランジスタＴＲ１のエミッタは接地されている。トランジスタＴＲ１がオフのとき、電圧ＶBへのプルアップによって、ＯＲ回路ＯＲ１への
入力ｂは“Ｈ”となる（反転入力は“Ｌ”）。
【０１４５】
図９は、第２実施形態における電源スイッチＳＷ１のオンオフ制御に係る信号のタイムチャート例を示す。以下、図９を適宜用いて、第２実施形態の動作例を説明する。図９において、或る時刻Ｔ０において、電源スイッチＳＷ１がオフであり、且つ壁スイッチＳＷ２及び無線スイッチＳＷ３の双方がオフの状態（“Ｈ”）を想定する。
【０１４６】
Ｔ０では、ＯＲ回路ＯＲ２の入力（反転入力）はともに“Ｌ”となり、ＯＲ回路ＯＲ２の出力は“Ｌ”となる。このため、トランジスタＴＲ２はオフである。従って、壁スイッチモニタ部１５に対する入力ｉｎとして信号レベル“Ｈ”が入力される状態となる。但し、コントローラ１０は、電源電圧ＶCの供給がないためオフである。従って、電源スイッ
チ制御部１６からの出力outは“Ｌ”であり、トランジスタＴＲ１がオフのため、入力ｂ
は“Ｈ”となる。なお、図９における“ＣＰＵＣＫ”は、コントローラ１０のマイコン１８（ＣＰＵ）のクロック信号を示す。
【０１４７】
その後、時刻Ｔ１の前に、壁スイッチＳＷ２と無線スイッチＳＷ３との何れか一方（例えば無線スイッチＳＷ３）がオンにされたとする。すると、ＯＲ回路ＯＲ１の出力ａが“Ｈ”となり、電源スイッチＳＷ１がオンとなる（時刻Ｔ２）。これによって、ＡＣ／ＤＣ電源回路２Ａによる電源電圧Ｖc（電力）の供給が開始され、コントローラ１０がオン状
態となり、マイコン１８が動作を開始する（ＣＰＵＣＫ参照）。
【０１４８】
また、無線スイッチＳＷ３のオンによって、ＯＲ回路ＯＲ２の出力は“Ｈ”となる。このため、トランジスタＴＲ２がオンとなり、壁スイッチモニタ部１５の入力ｉｎの信号レベルが“Ｌ”となる（時刻Ｔ１）。この信号レベル“Ｌ”は、コントローラ１０のオンによって動作を開始した壁スイッチモニタ部１５で検知される。
【０１４９】
壁スイッチモニタ部１５は、信号レベルが“Ｌ”を検知すると“電源スイッチオン”状態を保持する。マイコン１８は、“電源スイッチオン”が保持されたことを検知して、電源スイッチ制御部１６にオン指示を与える。電源スイッチ制御部１６は、出力outとして
、“Ｈ”信号を出力する（時刻Ｔ３）。この結果、トランジスタＴＲ１はオンとなり、ＯＲ回路ＯＲ１の入力ｂは“Ｌ”となる（反転入力は“Ｈ”）。
【０１５０】
その後、無線スイッチＳＷ３がオン状態を維持する所定期間が経過すると（時刻Ｔ４）、無線スイッチＳＷ３はオフとなり、トランジスタＴＲ２がオフとなって入力ｉｎが“Ｈ”レベルとなる。但し、壁スイッチモニタ部１５は、“電源スイッチオン”状態を維持し、電源スイッチ制御部１６は“Ｈ”信号の出力を継続する。従って、電源スイッチＳＷ１のオン状態が維持される。
【０１５１】
その後、壁スイッチＳＷ２と無線スイッチＳＷ３との何れか一方（例えば、壁スイッチＳＷ２）のオフ操作（ボタン押し下げ）が行われ、壁スイッチＳＷ２がオンになると（時刻Ｔ５）、壁スイッチモニタ部１５に対する入力ｉｎが“Ｌ”レベルとなる。壁スイッチモニタ部１５は、“Ｌ”レベルの検知によって、“電源スイッチオフ”状態を保持する。
【０１５２】
マイコン１８は、“電源スイッチオフ”状態の保持を検知して、電源スイッチ制御部１６にオフ指示を与える。これによって、電源スイッチ制御部１６は“Ｌ”信号を出力する（時刻Ｔ６）。但し、時刻Ｔ６では、壁スイッチＳＷ２のボタン押し下げ（オン）が継続されているため、入力ｂが“Ｈ”となっても、ＯＲ回路ＯＲ１の出力ａ“Ｈ”が維持され、電源スイッチＳＷ１のオン状態が維持される。
【０１５３】
時刻Ｔ７で壁スイッチＳＷ２のボタン押し下げが解除されると、出力ａが“Ｌ”となり（時刻Ｔ８）、電源スイッチＳＷ１がオフとなる。これにより、電源電圧ＶCの供給が停
止され、コントローラ１０はオフとなる。
【０１５４】
以上のような構成及び動作を除き、第２実施形態は第１実施形態と同じである。すなわち、第２実施形態におけるマイコン１８は、図５，図６Ａ，図６Ｂに示した処理を行う。但し、第２実施形態では、コントローラ１０のオンオフは電源スイッチＳＷ１のオンオフに連動するので、図５における０３，０８，１４，２０の各判定処理の結果は、電源スイッチＳＷ１がオンであるときの判定結果となる。
【０１５５】
さらに、第２実施形態におけるマイコン１８は、無線スイッチＳＷ３のオンオフに伴うリジューム機能に係る処理を行う。但し、当該処理は、図６Ａ，図６Ｂに係る処理の説明において、壁スイッチＳＷ２が無線スイッチＳＷ３に代わるだけの処理であるので詳細な
説明は省略する。第２実施形態についても、図７Ａ及び図７Ｂで説明した変形例を適用可能である。
【０１５６】
第２実施形態によれば、第１実施形態と同様の作用効果を得ることができる。さらに、第２実施形態によれば、コントローラ１０が電源スイッチＳＷ１のオンオフに連動してオンオフするので、コントローラ１０の待機電力を削減することができる。また、無線受信機４０及び無線スイッチＳＷ３が設けられることで、コントローラ１０のオフ状態において、無線端末２０の操作で、電源スイッチＳＷ１をオンにすることができる。これにより、オペレータが、電源スイッチＳＷ１をオンにするために、壁スイッチＳＷ２の接地場所まで移動する手間を省くことができる。
【０１５７】
〔第３実施形態〕
本発明の第３実施形態について説明する。第３実施形態は、第２実施形態と共通点を有するので、主として相違点について説明し、共通点については説明を省略する。図１０は、第３実施形態に係るＬＥＤ照明システムの構成例を示す図である。
【０１５８】
第３実施形態に係るＬＥＤ照明システムは、さらに、人感センサスイッチＳＷ４を含む。人感センサスイッチＳＷ４は、ＬＥＤ照明機器Ｌ１〜Ｌｎの設置位置周辺で人の存在を検知したときに電源スイッチＳＷ１をオンにするオン信号を出力する一方で、設置位置周辺で人の存在が検知されないときに電源スイッチＳＷ１をオフにするオフ信号を出力する。
【０１５９】
人感センサスイッチＳＷ４は人感センサを含んでいる。人感センサは、例えば、パッシブインフラレッド方式の赤外線センサを用いて人を検知する。但し、人感センサとしては既存のあらゆる人感センサを適用可能であり、センサの種別や方式を問わない。
【０１６０】
人感センサスイッチＳＷ４は、信号線５ｄを介してＯＲ回路ＯＲ１及びＯＲ回路ＯＲ２の反転入力端子に接続されている。人感センサスイッチＳＷ４のオフ状態では、信号線５ｄ上の信号レベルは“Ｈ”レベルであり、オン状態で“Ｌ”レベルとなる。
【０１６１】
上記構成により、ＯＲ回路ＯＲ１の出力ａは、信号線５ａ〜５ｄの少なくとも１つの信号レベルが“Ｌ”であるときに“Ｈ”となり、電源スイッチＳＷ１をオンにする（オン状態を維持する）。
【０１６２】
その他の構成については、第２実施形態と同様であるため、説明を省略する。第３実施形態の動作例としては、図９に示したタイムチャート中の「ＳＷ２or３」が「ＳＷ２，ＳＷ３or ＳＷ４」となるだけであるので、説明を省略する。コントローラ１０の構成及び
処理自体も、第２実施形態と同じであるので説明を省略する。但し、第３実施形態では、人感センサスイッチＳＷ４のオンオフに応じて図６Ａ及び図６Ｂに示した処理と同様の処理が実行される。但し、処理自体は、図６Ａ及び図６Ｂの処理における「壁スイッチＳＷ２」を「人感センサスイッチＳＷ４」に置き換えたものとなるので、説明は省略する。また、第３実施形態でも、図７Ａ及び図７Ｂに示した変形例を適用可能である。
【０１６３】
第３実施形態によれば、第２実施形態における作用効果に加えて、人感センサスイッチＳＷ４のオンオフに応じて電源スイッチＳＷ１をオンオフすることができる。なお、人感センサスイッチＳＷ４の採用時には、壁スイッチＳＷ２を省略することが考えられる。
【０１６４】
＜変形例＞
上記した第１〜第３実施形態では、同一の無線周波数を用いて、制御信号中の識別子により各ＬＥＤ照明機器が制御信号の宛先が自機器宛てかを判定している。このような構成
に代えて、無線端末２０がＬＥＤ照明機器Ｌ毎に異なる無線周波数（チャンネル）を用い、対応するＬＥＤ照明機器Ｌのみが制御信号を受信できるようにしても良い。
【０１６５】
また、第１〜第３実施形態に示した構成では、コントローラ１０が調光／調色制御部１７を有する構成を示したが、調光／調色制御部１７を有することはオプションである。また、第１〜第３実施形態に示した構成は、無線端末２０が各ＬＥＤ照明機器Ｌと直接無線通信を行わず、無線端末２０が無線通信部１１を中継局として使用するようなＬＥＤ照明システムについて適用可能である。
【符号の説明】
【０１６６】
Ｌ１〜Ｌｎ・・・ＬＥＤ照明機器
ＳＷ１・・・電源スイッチ
ＳＷ２・・・壁スイッチ（操作部）
ＳＷ３・・・無線スイッチ
ＳＷ４・・・人感センサスイッチ
１０・・・コントローラ
１２・・・制御部
１８・・・マイクロコンピュータ（プロセッサ）
２０・・・無線端末
【図１】
2015149241.tif 000003
【図２】
2015149241.tif 000004
【図３】
2015149241.tif 000005
【図４】
2015149241.tif 000006
【図５】
2015149241.tif 000007
【図６Ａ】
2015149241.tif 000008
【図６Ｂ】
2015149241.tif 000009
【図７Ａ】
2015149241.tif 000010
【図７Ｂ】
2015149241.tif 000011
【図８】
2015149241.tif 000012
【図９】
2015149241.tif 000013
【図１０】
2015149241.tif 000014